(57)【特許請求の範囲】
【請求項１】
インターネット上におけるウェブサイトの場所を示すアドレス情報であって、ユーザ端末がウェブサイトにアクセスするために発行するアクセス要求に含まれるアドレス情報を抽出するアドレス情報抽出手段と、
前記アドレス情報抽出手段により抽出されたアドレス情報を取得する取得手段と、
特典アドレス情報によって示される特定のウェブサイトへのアクセスを条件として特典を付与する付与手段と、
前記特典アドレス情報を、ユーザに付与される特典内容に関する情報に対応付けて記憶している特典情報記憶手段を参照して、前記取得手段により取得されたアドレス情報が前記特典アドレス情報に関連する関連アドレス情報であるか否かを判定する判定手段と、
前記判定手段により前記アドレス情報が前記特典アドレス情報に関連すると判定された場合に、当該関連アドレス情報によって示されるウェブサイトに含まれる情報に対する操作によって前記特定のウェブサイトにアクセス可能であることを示し、かつ、該特定のウェブサイトへのリンクを特定する情報を含まないヒント情報を取得するヒント情報取得手段と、
前記ヒント情報取得手段により取得されたヒント情報を前記特典アドレス情報に関連すると判定された関連アドレス情報によって示されるウェブサイトと共に表示する表示手段と、
を備える特典付与システム。
【請求項２】
インターネット上におけるウェブサイトの場所を示すアドレス情報であって、ユーザ端末がウェブサイトにアクセスするために発行するアクセス要求に含まれるアドレス情報を抽出するアドレス情報抽出ステップと、
前記アドレス情報抽出ステップにおいて抽出されたアドレス情報を取得する取得ステップと、
特典アドレス情報によって示される特定のウェブサイトへのアクセスを条件として特典を付与する付与ステップと、
前記特典アドレス情報を、ユーザに付与される特典内容に関する情報に対応付けて記憶している特典情報記憶手段を参照して、前記取得ステップにおいて取得されたアドレス情報が前記特典アドレス情報に関連する関連アドレス情報であるか否かを判定する判定ステップと、
前記判定ステップにおいて前記アドレス情報が前記特典アドレス情報に関連すると判定された場合に、当該関連アドレス情報によって示されるウェブサイトに含まれる情報に対する操作によって前記特定のウェブサイトにアクセス可能であることを示し、かつ、該特定のウェブサイトへのリンクを特定する情報を含まないヒント情報を取得するヒント情報取得ステップと、
前記ヒント情報取得ステップにおいて取得されたヒント情報を前記特典アドレス情報に関連すると判定された関連アドレス情報によって示されるウェブサイトと共に表示する表示ステップと、
を有する特典付与方法。
【請求項３】
ユーザ端末と通信可能な特典付与装置であって、
インターネット上におけるウェブサイトの場所を示すアドレス情報であって、前記ユーザ端末からのウェブサイトに対するアクセス要求に含まれるアドレス情報を取得する取得手段と、
特典アドレス情報によって示される特定のウェブサイトへのアクセスを条件として特典を付与する付与手段と、
前記特典アドレス情報を、ユーザに付与される特典内容に関する情報に対応付けて記憶している特典情報記憶手段を参照して、前記取得手段により取得されたアドレス情報が前記特典アドレス情報に関連する関連アドレス情報であるか否かを判定する判定手段と、
前記判定手段により前記アドレス情報が前記特典アドレス情報に関連すると判定された場合に、当該関連アドレス情報によって示されるウェブサイトに含まれる情報に対する操作によって前記特定のウェブサイトにアクセス可能であることを示し、かつ、該特定のウェブサイトへのリンクを特定する情報を含まないヒント情報であって、前記特典アドレス情報に関連すると判定された関連アドレス情報によって示されるウェブサイトと共に表示させる、ヒント情報をユーザ端末に送信する送信手段と、
を備える特典付与装置。
【請求項４】
前記判定手段は、前記特典アドレス情報に該当するアドレス情報を送信したユーザ端末のユーザに特典を付与するか否かを決定するために、予め設定された所定の当選確率に基づき当選又は落選の抽選処理を行い、
前記送信手段は、前記判定手段における抽選処理の結果を含む特典関連情報を送信する、
請求項３に記載の特典付与装置。
【請求項５】
前記特典情報記憶手段は、前記特典アドレス情報毎の特典内容に関する情報として、複数の順位及び該順位毎の特典の内容を記憶しており、
前記判定手段は、予め前記順位毎に設定された所定の当選確率に基づき、前記複数の順位のうちのいずれかの順位に対する当選又は落選の抽選処理を行う、
請求項４に記載の特典付与装置。
【請求項６】
前記特典情報記憶手段において、互いに関連付けられた複数の前記特典アドレス情報からなる特典アドレス情報群が設定され、該特典アドレス情報群に含まれる複数の前記特典アドレス情報に対して参照順位が設定されると共に、特典アドレス情報毎に特典が付与されるユーザの数である当選数が設定されており、
前記判定手段は、前記特典アドレス情報群に含まれる複数の前記特典アドレス情報のうちの、特典が付与されたユーザの数が前記当選数に達していない特典アドレス情報の中で最上位の参照順位が設定された特典アドレス情報を、有効な特典アドレス情報として参照して抽選処理を実施する、
請求項４または５に記載の特典付与装置。
【請求項７】
前記判定手段は、ユーザの属性情報を記憶しているユーザ属性記憶手段を参照して、前記ユーザ端末のユーザが所定の属性を有することを前記抽選処理の条件として用いる、
請求項４〜６のいずれか１項に記載の特典付与装置。
【請求項８】
前記取得手段により取得されたアドレス情報の、前記特典情報記憶手段に記憶されている前記特典アドレス情報に対する一致の度合いを判断する一致度判断手段と、
前記一致度判断手段により判断された一致の度合いを示す第１ヒント情報を生成する第１ヒント情報生成手段と、を更に備え、
前記送信手段は、前記第１ヒント情報生成手段により生成された第１ヒント情報を前記ヒント情報として前記ユーザ端末に送信する、
請求項３〜７のいずれか１項に記載の特典付与装置。
【請求項９】
前記ユーザ端末において表示されたウェブページに含まれるリンクのアドレス情報を受信するリンク情報受信手段と、
前記リンク情報受信手段により受信されたアドレス情報が前記特典情報記憶手段に記憶されている前記特典アドレス情報に該当するか否かを判定するリンク情報判定手段と、
前記リンク情報判定手段により前記アドレス情報が前記特典アドレス情報に該当すると判定された場合に、前記ユーザ端末において表示されたウェブページに特典アドレス情報に対するリンクが含まれる旨の第２ヒント情報を生成する第２ヒント情報生成手段と、を更に備え、
前記送信手段は、前記第２ヒント情報生成手段により生成された第２ヒント情報を前記ヒント情報として前記ユーザ端末に送信する、
請求項３〜８のいずれか１項に記載の特典付与装置。
【請求項１０】
前記特典アドレス情報により示されるウェブサイトに含まれるキーワードを予め記憶しているキーワード記憶手段を参照して、１以上の前記キーワードを含む第３ヒント情報を生成する第３ヒント情報生成手段を更に備え、
前記送信手段は、前記第３ヒント情報生成手段により生成された第３ヒント情報を前記ヒント情報として前記ユーザ端末に送信する、
請求項３〜９のいずれか１項に記載の特典付与装置。
【請求項１１】
ユーザにより指定された、ウェブサイトを特定可能な特定情報を、該特定情報をユーザ毎に記憶している特定情報記憶手段又は該ユーザのユーザ端末から取得し、前記特典情報記憶手段に記憶された特典アドレス情報により示されるウェブサイトを特定する特定情報に、前記ユーザにより指定された特定情報が該当するか否かを判定する特定情報判定手段と、
前記特定情報判定手段により、前記ユーザにより指定された特定情報が前記特典アドレス情報により示されるウェブサイトを特定する特定情報に該当すると判定された場合に、前記ユーザにより指定された特定情報に、前記特典アドレス情報により示されるウェブサイトを特定する特定情報が含まれる旨の第４ヒント情報を生成する第４ヒント情報生成手段と、を更に備え、
前記送信手段は、前記第４ヒント情報生成手段により生成された第４ヒント情報を前記ヒント情報として前記ユーザ端末に送信する、
請求項３〜１０のいずれか１項に記載の特典付与装置。
【請求項１２】
前記送信手段は、前記ユーザ端末においてウェブページを表示するためのソース情報を改変することなく、前記ヒント情報を前記ウェブページに重畳して表示させるような指示情報と共に前記ヒント情報を送信する、
請求項３〜１１のいずれか１項に記載の特典付与装置。
【請求項１３】
前記送信手段は、前記ユーザ端末においてウェブページを表示するためのソース情報を改変することなく、前記ヒント情報を前記ウェブページの表示領域外に表示させるような指示情報と共に前記ヒント情報を送信する、
請求項３〜１１のいずれか１項に記載の特典付与装置。
【請求項１４】
ユーザ端末と通信可能な特典付与装置における特典付与方法であって、
インターネット上におけるウェブサイトの場所を示すアドレス情報であって、前記ユーザ端末からのウェブサイトに対するアクセス要求に含まれるアドレス情報を取得する取得ステップと、
特典アドレス情報によって示される特定のウェブサイトへのアクセスを条件として特典を付与する付与ステップと、
前記特典アドレス情報を、ユーザに付与される特典内容に関する情報に対応付けて記憶している特典情報記憶手段を参照して、前記取得ステップにおいて取得されたアドレス情報が前記特典アドレス情報に関連する関連アドレス情報であるか否かを判定する判定ステップと、
前記判定ステップにおいて前記アドレス情報が前記特典アドレス情報に関連すると判定された場合に、当該関連アドレス情報によって示されるウェブサイトに含まれる情報に対する操作によって前記特定のウェブサイトにアクセス可能であることを示し、かつ、該特定のウェブサイトへのリンクを特定する情報を含まないヒント情報であって、前記特典アドレス情報に関連すると判定された関連アドレス情報によって示されるウェブサイトと共に表示させる、ヒント情報をユーザ端末に送信する送信ステップと、
を有する特典付与方法。
【請求項１５】
コンピュータを、ユーザ端末と通信可能な特典付与装置として機能させるための特典付与プログラムであって、
前記コンピュータに、
インターネット上におけるウェブサイトの場所を示すアドレス情報であって、前記ユーザ端末からのウェブサイトに対するアクセス要求に含まれるアドレス情報を取得する取得機能と、
特典アドレス情報によって示される特定のウェブサイトへのアクセスを条件として特典を付与する付与機能と、
前記特典アドレス情報を、ユーザに付与される特典内容に関する情報に対応付けて記憶している特典情報記憶手段を参照して、前記取得機能により取得されたアドレス情報が前記特典アドレス情報に関連する関連アドレス情報であるか否かを判定する判定機能と、
前記判定機能により前記アドレス情報が前記特典アドレス情報に関連すると判定された場合に、当該関連アドレス情報によって示されるウェブサイトに含まれる情報に対する操作によって前記特定のウェブサイトにアクセス可能であることを示し、かつ、該特定のウェブサイトへのリンクを特定する情報を含まないヒント情報であって、前記特典アドレス情報に関連すると判定された関連アドレス情報によって示されるウェブサイトと共に表示させるヒント情報をユーザ端末に送信する送信機能と、
を実現させる特典付与プログラム。
【請求項１６】
コンピュータに、
インターネット上におけるウェブサイトの場所を示すアドレス情報であって、ユーザ端末がウェブサイトにアクセスするために発行するアクセス要求に含まれるアドレス情報を抽出するアドレス情報抽出機能と、
特典アドレス情報によって示される特定のウェブサイトへのアクセスを条件として特典を付与する特典付与装置であって、
前記特典アドレス情報を、ユーザに付与される特典内容に関する情報に対応付けて記憶している特典情報記憶手段を参照して、前記アドレス情報抽出機能により抽出されたアドレス情報が前記特典アドレス情報に関連する関連アドレス情報であるか否かを判定し、
前記アドレス情報が前記特典アドレス情報に関連すると判定した場合に、当該関連アドレス情報によって示されるウェブサイトに含まれる情報に対する操作によって前記特定のウェブサイトにアクセス可能であることを示し、かつ、該特定のウェブサイトへのリンクを特定する情報を含まないヒント情報を送信する、特典付与装置に、前記アドレス情報抽出機能により抽出されたアドレス情報を送信するアドレス情報送信機能と、
前記アドレス情報送信機能により送信されたアドレス情報に応じて前記特典付与装置から返信された前記ヒント情報を取得するヒント情報取得機能と、
前記ヒント情報取得機能により取得されたヒント情報を、前記特典アドレス情報に関連すると判定された関連アドレス情報によって示されるウェブサイトと共に表示する表示機能と、
を実現させる、特典関連情報表示プログラム。
【請求項１７】
前記ヒント情報取得機能は、当該ユーザ端末においてウェブページを表示するためのソース情報を改変することなく、前記ヒント情報を前記ウェブページに重畳して表示させる指示情報と共に前記ヒント情報を取得し、
前記表示機能は、前記ヒント情報取得機能により取得された前記指示情報に基づき、前記ヒント情報を前記ウェブページに重畳して表示する、
請求項１６に記載の特典関連情報表示プログラム。
【請求項１８】
前記ヒント情報取得機能は、当該ユーザ端末においてウェブページを表示するためのソース情報を改変することなく、前記ヒント情報を前記ウェブページの表示領域外に表示させる指示情報と共に前記ヒント情報を取得し、
前記表示機能は、前記ヒント情報取得機能により取得された前記指示情報に基づき、前記ヒント情報を前記ウェブページの表示領域外に表示する、
請求項１６に記載の特典関連情報表示プログラム。
【請求項１９】
ユーザ端末における特典関連情報表示方法であって、
インターネット上におけるウェブサイトの場所を示すアドレス情報であって、ユーザ端末がウェブサイトにアクセスするために発行するアクセス要求に含まれるアドレス情報を抽出するアドレス情報抽出ステップと、
特典アドレス情報によって示される特定のウェブサイトへのアクセスを条件として特典を付与する特典付与装置であって、
前記特典アドレス情報を、ユーザに付与される特典内容に関する情報に対応付けて記憶している特典情報記憶手段を参照して、前記アドレス情報抽出ステップにおいて抽出されたアドレス情報が前記特典アドレス情報に関連する関連アドレス情報であるか否かを判定し、
前記アドレス情報が前記特典アドレス情報に関連すると判定した場合に、当該関連アドレス情報によって示されるウェブサイトに含まれる情報に対する操作によって前記特定のウェブサイトにアクセス可能であることを示し、かつ、該特定のウェブサイトへのリンクを特定する情報を含まないヒント情報を送信する、特典付与装置に、前記アドレス情報抽出ステップにおいて抽出されたアドレス情報を送信するアドレス情報送信ステップと、
前記アドレス情報送信ステップにおいて送信されたアドレス情報に応じて前記特典付与装置から返信された前記ヒント情報を取得するヒント情報取得ステップと、
前記ヒント情報取得ステップにおいて取得されたヒント情報を、前記特典アドレス情報に関連すると判定された関連アドレス情報によって示されるウェブサイトと共に表示する表示ステップと、
を有する特典関連情報表示方法。
【発明の詳細な説明】
【技術分野】
【０００１】
本発明は、特典付与システム、特典付与方法、特典付与装置、特典付与プログラム、特典関連情報表示プログラム及び特典関連情報表示方法に関する。
【背景技術】
【０００２】
従来、インターネット上の特定サイトの閲覧をユーザに促すための技術として、例えば、特定サイトに対するリンクが設定されたバナー広告といったオブジェクトをウェブページに表示させ、そのバナー広告の選択操作により特定サイトをユーザ端末に表示させる技術があった（例えば、特許文献１参照）。
【先行技術文献】
【特許文献】
【０００３】
【特許文献１】特開２０００−１９４６３６号公報
【発明の概要】
【発明が解決しようとする課題】
【０００４】
上記従来技術において表示されるウェブサイトは、バナー広告のリンク先として設定されている特定サイトのみであるので、その特定サイトに関連する他のサイトまで閲覧される可能性は低かった。一方、特定サイトの広告主には、特定サイト及び特定サイトに関連するサイトがユーザに閲覧される機会を増やしたいといった要請があった。
【０００５】
そこで本発明は、インターネット上における特定のウェブサイト及び特定のウェブサイトに関連するウェブサイトがユーザに閲覧される機会を増加させることが可能な特典付与システム、特典付与方法、特典付与装置、特典付与プログラム、特典関連情報表示プログラム及び特典関連情報表示方法を提供することを目的とする。
【課題を解決するための手段】
【０００６】
上記課題を解決するために、本発明の一形態に係る特典付与システムは、インターネット上におけるウェブサイトの場所を示すアドレス情報であって、ユーザ端末がウェブサイトにアクセスするために発行するアクセス要求に含まれるアドレス情報を抽出するアドレス情報抽出手段と、アドレス情報抽出手段により抽出されたアドレス情報を取得する取得手段と、特典アドレス情報によって示される特定のウェブサイトへのアクセスを条件として特典を付与する付与手段と、特典アドレス情報を、ユーザに付与される特典内容に関する情報に対応付けて記憶している特典情報記憶手段を参照して、取得手段により取得されたアドレス情報が特典アドレス情報に関連する関連アドレス情報であるか否かを判定する判定手段と、判定手段によりアドレス情報が特典アドレス情報に関連すると判定された場合に、当該関連アドレス情報によって示されるウェブサイトに含まれる情報に対する操作によって特定のウェブサイトにアクセス可能であることを示し、かつ、該特定のウェブサイトへのリンクを特定する情報を含まないヒント情報を取得するヒント情報取得手段と、ヒント情報取得手段により取得されたヒント情報を特典アドレス情報に関連すると判定された関連アドレス情報によって示されるウェブサイトと共に表示する表示手段と、を備える。
【０００７】
本発明の一形態に係る特典付与方法は、インターネット上におけるウェブサイトの場所を示すアドレス情報であって、ユーザ端末がウェブサイトにアクセスするために発行するアクセス要求に含まれるアドレス情報を抽出するアドレス情報抽出ステップと、アドレス情報抽出ステップにおいて抽出されたアドレス情報を取得する取得ステップと、特典アドレス情報によって示される特定のウェブサイトへのアクセスを条件として特典を付与する付与ステップと、特典アドレス情報を、ユーザに付与される特典内容に関する情報に対応付けて記憶している特典情報記憶手段を参照して、取得ステップにおいて取得されたアドレス情報が特典アドレス情報に関連する関連アドレス情報であるか否かを判定する判定ステップと、判定ステップにおいてアドレス情報が特典アドレス情報に関連すると判定された場合に、当該関連アドレス情報によって示されるウェブサイトに含まれる情報に対する操作によって特定のウェブサイトにアクセス可能であることを示し、かつ、該特定のウェブサイトへのリンクを特定する情報を含まないヒント情報を取得するヒント情報取得ステップと、ヒント情報取得ステップにおいて取得されたヒント情報を特典アドレス情報に関連すると判定された関連アドレス情報によって示されるウェブサイトと共に表示する表示ステップと、を有する。
【０００８】
本発明の一形態に係る特典付与装置は、ユーザ端末と通信可能な特典付与装置であって、インターネット上におけるウェブサイトの場所を示すアドレス情報であって、ユーザ端末からのウェブサイトに対するアクセス要求に含まれるアドレス情報を取得する取得手段と、特典アドレス情報によって示される特定のウェブサイトへのアクセスを条件として特典を付与する付与手段と、特典アドレス情報を、ユーザに付与される特典内容に関する情報に対応付けて記憶している特典情報記憶手段を参照して、取得手段により取得されたアドレス情報が特典アドレス情報に関連する関連アドレス情報であるか否かを判定する判定手段と、判定手段によりアドレス情報が特典アドレス情報に関連すると判定された場合に、当該関連アドレス情報によって示されるウェブサイトに含まれる情報に対する操作によって特定のウェブサイトにアクセス可能であることを示し、かつ、該特定のウェブサイトへのリンクを特定する情報を含まないヒント情報であって、特典アドレス情報に関連すると判定された関連アドレス情報によって示されるウェブサイトと共に表示させる、ヒント情報をユーザ端末に送信する送信手段と、を備える。
【０００９】
本発明の一形態に係る特典付与方法は、ユーザ端末と通信可能な特典付与装置における特典付与方法であって、インターネット上におけるウェブサイトの場所を示すアドレス情報であって、ユーザ端末からのウェブサイトに対するアクセス要求に含まれるアドレス情報を取得する取得ステップと、特典アドレス情報によって示される特定のウェブサイトへのアクセスを条件として特典を付与する付与ステップと、特典アドレス情報を、ユーザに付与される特典内容に関する情報に対応付けて記憶している特典情報記憶手段を参照して、取得ステップにおいて取得されたアドレス情報が特典アドレス情報に関連する関連アドレス情報であるか否かを判定する判定ステップと、判定ステップにおいてアドレス情報が特典アドレス情報に関連すると判定された場合に、当該関連アドレス情報によって示されるウェブサイトに含まれる情報に対する操作によって特定のウェブサイトにアクセス可能であることを示し、かつ、該特定のウェブサイトへのリンクを特定する情報を含まないヒント情報であって、特典アドレス情報に関連すると判定された関連アドレス情報によって示されるウェブサイトと共に表示させる、ヒント情報をユーザ端末に送信する送信ステップと、を有する。
【００１０】
本発明の一形態に係る特典付与プログラムは、コンピュータを、ユーザ端末と通信可能な特典付与装置として機能させるための特典付与プログラムであって、コンピュータに、インターネット上におけるウェブサイトの場所を示すアドレス情報であって、ユーザ端末からのウェブサイトに対するアクセス要求に含まれるアドレス情報を取得する取得機能と、特典アドレス情報によって示される特定のウェブサイトへのアクセスを条件として特典を付与する付与機能と、特典アドレス情報を、ユーザに付与される特典内容に関する情報に対応付けて記憶している特典情報記憶手段を参照して、取得機能により取得されたアドレス情報が特典アドレス情報に関連する関連アドレス情報であるか否かを判定する判定機能と、判定機能によりアドレス情報が特典アドレス情報に関連すると判定された場合に、当該関連アドレス情報によって示されるウェブサイトに含まれる情報に対する操作によって特定のウェブサイトにアクセス可能であることを示し、かつ、該特定のウェブサイトへのリンクを特定する情報を含まないヒント情報であって、特典アドレス情報に関連すると判定された関連アドレス情報によって示されるウェブサイトと共に表示させるヒント情報をユーザ端末に送信する送信機能と、を実現させる。
【００１１】
本発明の一形態に係る特典関連情報表示プログラムは、コンピュータに、インターネット上におけるウェブサイトの場所を示すアドレス情報であって、ユーザ端末がウェブサイトにアクセスするために発行するアクセス要求に含まれるアドレス情報を抽出するアドレス情報抽出機能と、特典アドレス情報によって示される特定のウェブサイトへのアクセスを条件として特典を付与する特典付与装置であって、特典アドレス情報を、ユーザに付与される特典内容に関する情報に対応付けて記憶している特典情報記憶手段を参照して、アドレス情報抽出機能により抽出されたアドレス情報が特典アドレス情報に関連する関連アドレス情報であるか否かを判定し、アドレス情報が特典アドレス情報に関連すると判定した場合に、当該関連アドレス情報によって示されるウェブサイトに含まれる情報に対する操作によって特定のウェブサイトにアクセス可能であることを示し、かつ、該特定のウェブサイトへのリンクを特定する情報を含まないヒント情報を送信する、特典付与装置に、アドレス情報抽出機能により抽出されたアドレス情報を送信するアドレス情報送信機能と、アドレス情報送信機能により送信されたアドレス情報に応じて特典付与装置から返信されたヒント情報を取得するヒント情報取得機能と、ヒント情報取得機能により取得されたヒント情報を、特典アドレス情報に関連すると判定された関連アドレス情報によって示されるウェブサイトと共に表示する表示機能と、を実現させる。
【００１２】
本発明の一形態に係る特典関連情報表示方法は、ユーザ端末における特典関連情報表示方法であって、インターネット上におけるウェブサイトの場所を示すアドレス情報であって、ユーザ端末がウェブサイトにアクセスするために発行するアクセス要求に含まれるアドレス情報を抽出するアドレス情報抽出ステップと、特典アドレス情報によって示される特定のウェブサイトへのアクセスを条件として特典を付与する特典付与装置であって、特典アドレス情報を、ユーザに付与される特典内容に関する情報に対応付けて記憶している特典情報記憶手段を参照して、アドレス情報抽出ステップにおいて抽出されたアドレス情報が特典アドレス情報に関連する関連アドレス情報であるか否かを判定し、アドレス情報が特典アドレス情報に関連すると判定した場合に、当該関連アドレス情報によって示されるウェブサイトに含まれる情報に対する操作によって特定のウェブサイトにアクセス可能であることを示し、かつ、該特定のウェブサイトへのリンクを特定する情報を含まないヒント情報を送信する、特典付与装置に、アドレス情報抽出ステップにおいて抽出されたアドレス情報を送信するアドレス情報送信ステップと、アドレス情報送信ステップにおいて送信されたアドレス情報に応じて特典付与装置から返信されたヒント情報を取得するヒント情報取得ステップと、ヒント情報取得ステップにおいて取得されたヒント情報を、特典アドレス情報に関連すると判定された関連アドレス情報によって示されるウェブサイトと共に表示する表示ステップと、を有する。
【００１３】
上記形態によれば、ユーザ端末からのアドレス情報が特典アドレス情報に該当する場合に、当該アドレス情報が示すウェブサイトが特典の付与に関連するウェブサイトであることを示す特典関連情報がユーザ端末に送信され、ユーザ端末において特典関連情報が表示される。これにより、ユーザ端末のユーザは、アクセス要求に係るアドレス情報が特典の付与に関連するものであることを認識できるので、特典の付与を動機として、ユーザによるウェブサイトに対するアクセスが促される。従って、特定のウェブサイトに対する閲覧機会が増加される。また、特定のウェブサイトに関連するウェブサイトに対するアクセスが促される。
本発明の一形態に係る特典付与システムは、特典アドレス情報を、ユーザに付与される特典内容に関する情報に対応付けて記憶している特典情報記憶手段を参照して、取得手段により取得されたアドレス情報が特典アドレス情報に関連するか否かを判定する判定手段を更に備え、ヒント情報取得手段は、判定手段によりアドレス情報が特典アドレス情報に関連すると判定された場合に、ユーザ端末に表示された抽出されたアドレス情報によって示される特定のウェブサイトに含まれる情報に対する操作によって、特定のウェブサイトへアクセス可能であることを示す情報を含むヒント情報を取得する。
本発明の一形態に係る特典付与装置は、特典アドレス情報を、ユーザに付与される特典内容に関する情報に対応付けて記憶している特典情報記憶手段を参照して、取得手段により取得されたアドレス情報が特典アドレス情報に関連するか否かを判定する判定手段を更に備え、送信手段は、判定手段によりアドレス情報が特典アドレス情報に関連すると判定された場合に、ユーザ端末に表示された抽出されたアドレス情報によって示される特定のウェブサイトに含まれる情報に対する操作によって、特定のウェブサイトへアクセス可能であることを示す情報を含むヒント情報を送信する
【００１４】
別の形態に係る特典付与装置では、判定手段は、特典アドレス情報に該当するアドレス情報を送信したユーザ端末のユーザに特典を付与するか否かを決定するために、予め設定された所定の当選確率に基づき当選又は落選の抽選処理を行い、生成手段は、判定手段における抽選処理の結果を含む特典関連情報を生成してもよい。
【００１５】
上記形態によれば、抽選処理の結果がユーザ端末において表示されると共に、抽選処理の結果に基づきユーザに対して特典が付与されるので、ウェブサイトに対するアクセスにおける趣向向上が図られる。これにより、ユーザによるウェブサイトに対するアクセスがより促される。また、所定の当選確率に基づき抽選処理が行われるので、特典の付与に係る原資を適切に制御できる。
【００１６】
さらに別の形態に係る特典付与装置では、特典情報記憶手段は、特典アドレス情報毎の特典内容に関する情報として、複数の順位及び該順位毎の特典の内容を記憶しており、判定手段は、予め順位毎に設定された所定の当選確率に基づき、複数の順位のうちのいずれかの順位に対する当選又は落選の抽選処理を行うこととしてもよい。
【００１７】
上記形態によれば、複数の順位に対する抽選処理が行われ、各順位に応じた特典がユーザに付与されるので、より趣向性が向上される。従って、ユーザによるウェブサイトに対するアクセスが一層促される。
【００１８】
さらに別の形態に係る特典付与装置では、特典情報記憶手段において、互いに関連付けられた複数の特典アドレス情報からなる特典アドレス情報群が設定され、該特典アドレス情報群に含まれる複数の特典アドレス情報に対して参照順位が設定されると共に、特典アドレス情報毎に特典が付与されるユーザの数である当選数が設定されており、判定手段は、特典アドレス情報群に含まれる複数の特典アドレス情報のうちの、特典が付与されたユーザの数が当選数に達していない特典アドレス情報の中で最上位の参照順位が設定された特典アドレス情報を、有効な特典アドレス情報として参照して抽選処理を実施してもよい。
【００１９】
上記形態によれば、特典アドレス情報群のうちの、より上位の参照順位が設定された特典アドレス情報が抽選処理において参照され、特典が付与されたユーザ数が当該特典アドレス情報に設定された当選数に達すると、次に高い参照順位が設定された特典アドレス情報が参照される。これにより、判定手段による抽選処理の実施に伴い、有効な特典アドレス情報が遷移される。従って、例えば、一の特典アドレス情報に関する情報が一のユーザから他のユーザにリークされ、当該他のユーザが一の特典アドレス情報を用いたアクセス要求を行った場合であっても、その時点において一の特典アドレス情報が有効であるとは限らないので、当該他のユーザに対する特典関連情報の送信が防止される。
【００２０】
さらに別の形態に係る特典付与装置では、判定手段は、ユーザの属性情報を記憶しているユーザ属性記憶手段を参照して、ユーザ端末のユーザが所定の属性を有することを抽選処理の条件として用いることとしてもよい。
【００２１】
上記形態によれば、ユーザにおける、所定の属性を獲得することに対する動機が高められる。また、所定の属性を有するユーザにあっては、ウェブサイトに対するアクセスの動機が高められる。
【００２２】
さらに別の形態に係る特典付与装置は、取得手段により取得されたアドレス情報の、特典情報記憶手段に記憶されている特典アドレス情報に対する一致の度合いを判断する一致度判断手段と、一致度判断手段により判断された一致の度合いを示す第１ヒント情報を生成する第１ヒント情報生成手段と、を更に備え、送信手段は、第１ヒント情報生成手段により生成された第１ヒント情報をヒント情報としてユーザ端末に送信してもよい。
【００２３】
上記形態によれば、ヒント情報がユーザ端末に送信されることにより、アクセス要求に係るアドレス情報の特典アドレス情報との一致の度合いがユーザに認識されることとなるので、特典の付与を動機として、ユーザによるウェブサイトに対するアクセスが促される。
【００２４】
さらに別の形態に係る特典付与装置は、ユーザ端末において表示されたウェブページに含まれるリンクのアドレス情報を受信するリンク情報受信手段と、リンク情報受信手段により受信されたアドレス情報が特典情報記憶手段に記憶されている特典アドレス情報に該当するか否かを判定するリンク情報判定手段と、リンク情報判定手段によりアドレス情報が特典アドレス情報に該当すると判定された場合に、ユーザ端末において表示されたウェブページに特典アドレス情報に対するリンクが含まれる旨の第２ヒント情報を生成する第２ヒント情報生成手段と、を更に備え、送信手段は、第２ヒント情報生成手段により生成された第２ヒント情報をヒント情報としてユーザ端末に送信してもよい。
【００２５】
上記形態によれば、ユーザ端末のユーザは、ユーザ端末において表示されたウェブページに含まれるリンクに係るアドレス情報が特典の付与に関連するものであることを認識できるので、特典の付与を動機として、リンク先のウェブサイトに対するアクセスが促される。
【００２６】
さらに別の形態に係る特典付与装置は、特典アドレス情報により示されるウェブサイトに含まれるキーワードを予め記憶しているキーワード記憶手段を参照して、１以上のキーワードを含む第３ヒント情報を生成する第３ヒント情報生成手段を更に備え、送信手段は、第３ヒント情報生成手段により生成された第３ヒント情報をヒント情報としてユーザ端末に送信してもよい。
【００２７】
上記形態によれば、ヒント情報がユーザ端末に送信されるので、特典アドレス情報に示されるウェブサイトに含まれるキーワードがユーザに認識される。この認識は、そのキーワードによるウェブサイトの検索の動機となる。従って、検索の結果として得られたウェブサイトに対するユーザによる閲覧の機会が増加される。
【００２８】
さらに別の形態に係る特典付与装置は、ユーザにより指定された、ウェブサイトを特定可能な特定情報を、特定情報をユーザ毎に記憶している特定情報記憶手段又はユーザのユーザ端末から取得し、特典情報記憶手段に記憶された特典アドレス情報により示されるウェブサイトを特定する特定情報に、ユーザにより指定された特定情報が該当するか否かを判定する特定情報判定手段と、特定情報判定手段により、ユーザにより指定された特定情報が特典アドレス情報により示されるウェブサイトを特定する特定情報に該当すると判定された場合に、ユーザが指定した特定情報に、特典アドレス情報により示されるウェブサイトを特定する特定情報が含まれる旨の第４ヒント情報を生成する第４ヒント情報生成手段と、を更に備え、送信手段は、第４ヒント情報生成手段により生成された第４ヒント情報をヒント情報としてユーザ端末に送信してもよい。
【００２９】
上記形態によれば、ヒント情報がユーザ端末に送信されるので、ユーザが指定した特定情報に、特典アドレス情報に示されるウェブサイトを特定するものが含まれることがユーザに認識される。これにより、ユーザに対して、特定情報に示されるウェブサイトに対するアクセスが促される。
【００３０】
さらに別の形態に係る特典付与装置では、送信手段は、ユーザ端末においてウェブページを表示するためのソース情報を改変することなく、ヒント情報をウェブページに重畳して表示させるような指示情報と共にヒント情報を送信してもよい。
【００３１】
さらに別の形態に係る特典関連情報表示プログラムでは、ヒント情報取得機能は、当該ユーザ端末においてウェブページを表示するためのソース情報を改変することなく、ヒント情報をウェブページに重畳して表示させる指示情報と共に特典関連情報を取得し、
表示機能は、ヒント情報取得機能により取得された指示情報に基づき、ヒント情報をウェブページに重畳して表示してもよい。
【００３２】
上記形態によれば、ヒント情報がウェブページに重畳して表示されるので、ユーザ端末のユーザにヒント情報が認識される。また、ウェブページのソース情報にヒント情報が含まれないので、ウェブページの内容を収集するクローラによりヒント情報が収集されることが防止される。
【００３３】
さらに別の形態に係る特典付与装置では、送信手段は、ユーザ端末においてウェブページを表示するためのソース情報を改変することなく、ヒント情報をウェブページの表示領域外に表示させるような指示情報と共にヒント情報を送信してもよい。
【００３４】
さらに別の形態に係る特典関連情報表示プログラムでは、ヒント情報取得機能は、当該ユーザ端末においてウェブページを表示するためのソース情報を改変することなく、ヒント情報をウェブページの表示領域外に表示させる指示情報と共にヒント情報を取得し、
表示機能は、ヒント情報取得機能により取得された指示情報に基づき、ヒント情報をウェブページの表示領域外に表示してもよい。
【００３５】
上記形態によれば、ヒント情報がウェブページの表示領域外に表示されるので、ウェブページの視認性を低下させることなくユーザ端末のユーザにヒント情報が認識される。また、ウェブページのソース情報にヒント情報が含まれないので、ウェブページの内容を収集するクローラによりヒント情報が収集されることが防止される。
【発明の効果】
【００３６】
本発明によれば、インターネット上における特定のウェブサイト及び特定のウェブサイトに関連するウェブサイトがユーザに閲覧される機会を増加させることが可能となる。
【図面の簡単な説明】
【００３７】
【図１】特典付与装置を含むシステムの装置構成を示す図である。
【図２】第１実施形態に係る特典付与装置の機能構成を示すブロック図である。
【図３】特典付与装置のハードウェア構成を示す図である。
【図４】第１実施形態に係るユーザ端末の機能構成を示すブロック図である。
【図５】特典情報記憶部の構成及び記憶されているデータの例を示す図である。
【図６】ユーザ属性記憶部の構成及び記憶されているデータの例を示す図である。
【図７】ウェブページ情報に基づき、ユーザ端末において表示されたウェブページの表示例を示す図である。
【図８】特典関連情報の表示例を示す図である。
【図９】特典関連情報の表示例を示す図である。
【図１０】特典関連情報の表示例を示す図である。
【図１１】特典付与装置、ユーザ端末及びウェブサーバにおいて実施される特典付与の処理を示すタイミングチャートである。
【図１２】第１実施形態の特典付与装置に対応する特典付与プログラムの構成を示す図である。
【図１３】第２実施形態に係る特典付与装置の機能構成を示すブロック図である。
【図１４】第２実施形態に係るユーザ端末の機能構成を示すブロック図である。
【図１５】ヒント情報の表示例を示す図である。
【図１６】ヒント情報をユーザ端末に提供するための処理の例を示すタイミングチャートである。
【図１７】ヒント情報の表示例を示す図である。
【図１８】ヒント情報をユーザ端末に提供するための処理の例を示すタイミングチャートである。
【図１９】キーワード記憶部の構成及び記憶されているデータの例を示す図である。
【図２０】ヒント情報の表示例を示す図である。
【図２１】ヒント情報をユーザ端末に提供するための処理の例を示すタイミングチャートである。
【図２２】ブックマーク記憶部の構成及び記憶されているデータの例を示す図である。
【図２３】ヒント情報の表示例を示す図である。
【図２４】ヒント情報をユーザ端末に提供するための処理の例を示すタイミングチャートである。
【発明を実施するための形態】
【００３８】
以下、添付図面を参照しながら本発明の実施形態を詳細に説明する。なお、図面の説明において同一又は同等の要素には同一の符号を付し、重複する説明を省略する。
【００３９】
図１は、本実施形態に係る特典付与装置を含むシステム１００（特典付与システム）の装置構成を示すブロック図である。システム１００は、特典付与装置１、複数の店舗端末Ｍ及び複数のユーザ端末３を含む。また、特典付与装置１は、特典の付与の関わる処理に用いるための種々のデータを格納したデータベースＤにアクセスできる。また、システム１００は、ウェブサーバＷを含む。ウェブサーバＷは、ユーザ端末３からのウェブサイトに対するアクセス要求に応じて、ユーザ端末３においてウェブページを表示するためのデータを返信する。
【００４０】
特典付与装置１、ウェブサーバＷ、店舗端末Ｍ及びユーザ端末３は、インターネットや無線ＬＡＮ、移動体通信網などで構成されている通信ネットワークＮを介して互いに通信することが可能である。特典付与装置１は、例えば、サーバにより構成される。また、店舗端末Ｍ及びユーザ端末３は、例えば、携帯端末、パーソナルコンピュータ等により構成される。なお、図１では、店舗端末Ｍを２台、ユーザ端末３を３台示しているが、システム１００内に存在する端末の台数は任意である。
【００４１】
（第１実施形態）
図２は、第１実施形態に係る特典付与装置１の機能的構成を示すブロック図である。図２に示すように、特典付与装置１は、機能的には、要求取得部１１（取得手段）、判定部１２（判定手段）、特典関連情報生成部１３（生成手段）及び送信部１４（送信手段）を備える。また、特典付与装置１は、特典情報記憶部Ｄ１（特典情報記憶手段）及びユーザ属性記憶部Ｄ２（ユーザ属性記憶手段）にアクセスできる。これらの記憶部Ｄ１，Ｄ２は、データベースＤに構成される。なお、本実施形態では、各機能部１１〜１４が１つの装置に構成されることとしているが、各機能部１１〜１４がそれぞれ互いに通信可能な別の装置に備えられることとしてもよい。
【００４２】
図３は、特典付与装置１のハードウェア構成図である。特典付与装置１は、物理的には、図３に示すように、ＣＰＵ１０１、ＲＡＭ及びＲＯＭといったメモリにより構成される主記憶装置１０２、ハードディスク等で構成される補助記憶装置１０３、ネットワークカード等で構成される通信制御装置１０４、入力デバイスであるキーボード、マウス等の入力装置１０５、ディスプレイ等の出力装置１０６などを含むコンピュータシステムとして構成されている。
【００４３】
図２に示した各機能は、図３に示すＣＰＵ１０１、主記憶装置１０２等のハードウェア上に所定のコンピュータソフトウェア（特典付与プログラム）を読み込ませることにより、ＣＰＵ１０１の制御のもとで通信制御装置１０４、入力装置１０５、出力装置１０６を動作させるとともに、主記憶装置１０２や補助記憶装置１０３におけるデータの読み出し及び書き込みを行うことで実現される。処理に必要なデータやデータベースは主記憶装置１０２や補助記憶装置１０３内に格納される。
【００４４】
図４は、ユーザ端末３の機能的構成を示すブロック図である。図４に示すように、ユーザ端末３は、機能的には、アクセス要求部３１、ウェブページ情報受信部３２、表示部３３（表示手段）、アドレス情報送信部３４（アドレス情報抽出手段、アドレス情報送信手段）及び特典関連情報受信部３５（特典関連情報受信手段、特典関連情報取得手段）を備える。ユーザ端末３も、特典付与装置１と同様に、コンピュータシステムとして構成され、図３に示されるようなハードウェア構成を有する。
【００４５】
次に、再び図２を参照して、特典付与装置１の各機能部を説明する。要求取得部１１は、インターネット上におけるウェブサイトの場所を示すアドレス情報であって、ユーザ端末３からのウェブサイトに対するアクセス要求に含まれるアドレス情報を取得する部分である。アドレス情報は、インターネット上におけるウェブサイトの場所を示す、例えばＵＲＬ（Uniform  Resource  Locator）といった情報である。要求取得部１１により取得されるアドレス情報は、  ユーザ端末３により実行されるブラウザ及び所定のアプリケーション等においてウェブサイトにアクセスするために、ＵＲＬの入力が行われたり、ＵＲＬに対するリンクが設定されたオブジェクトやテキストが選択操作されたりした場合に、ユーザ端末３から特典付与装置１に対して送信される。
【００４６】
判定部１２は、要求取得部１１により取得されたアドレス情報が、特典情報記憶部Ｄ１に記憶された特典アドレス情報に該当するか否かを判定する部分である。特典アドレス情報は、ユーザ端末３のユーザに対する特典の付与に関連するウェブサイトの場所を示すアドレス情報であって、ユーザに付与される特典内容に関する情報に対応付けられて特典情報記憶部Ｄ１に記憶されている。
【００４７】
図５は、特典情報記憶部Ｄ１の構成及び記憶されているデータの例を示す図である。図５（ａ）に示すように、特典情報記憶部Ｄ１は、ユーザに付与される特典に関するイベントを識別するイベントＩＤ毎に、特典アドレス情報、広告主、特典、有効期間／当選数、ユーザ限定ルール、順列設定、有効イベントフラグ及び特典付与数といった情報を特典情報として記憶している。また、ユーザ限定ルールの内容は、図５（ｂ）に示すようなテーブルに記憶されており、ユーザ限定ルールＩＤ毎にルール内容が設定されている。各特典情報は、例えば、店舗端末Ｍを介して広告主により登録される。この広告主は、特典アドレス情報に示されるウェブサイトがユーザに閲覧されることを望む者である。
【００４８】
図５（ａ）における「特典」は、特典内容を示し、例えば、ユーザに対して付与されるポイントが記憶されている。なお、本実施形態では、特典内容をユーザに対するポイントの付与としているが、ユーザに対する景品等の贈与等であってもよい。また、「有効期間／当選数」は、特典アドレス情報に対するアクセスをしたユーザに特典が付与される期間、及び特典が付与されるユーザ数を示す。
【００４９】
図５（ａ）における「ユーザ限定ルール」は、特典が付与されるユーザを所定の属性を有するユーザに限定する場合において参照されるルールのＩＤを示す。「順列設定」は、一のイベントにおいて参照される特典アドレス情報を遷移させる場合における、参照順位が設定されるフィールドである。「有効イベントフラグ」は、「順列設定」に参照順位が設定されている場合における、現時点において参照されるべき特典アドレス情報を示すフラグである。「特典付与数」は、当該イベントにおいて既に特典が付与されたユーザ数を示す。
【００５０】
続いて、判定部１２における判定処理を具体的に説明する。判定部１２は、要求取得部１１により取得されたアドレス情報が、特典情報記憶部Ｄ１において、有効イベントフラグが「１」にセットされているイベントの特典アドレス情報に該当するか否かを判定する。この判定において、要求取得部１１により取得されたアドレス情報が特典アドレス情報に対して全部一致していることを、特典アドレス情報に該当することの条件としてもよいし、要求取得部１１により取得されたアドレス情報が特典アドレス情報に対して一部一致していることを、特典アドレス情報に該当することの条件としてもよい。一部一致を特典アドレス情報に該当することの条件とすることにより、例えば、同一のウェブサイトを示すアドレス情報の一部にユーザの識別情報及び経由したサイトの情報等が用いられる場合であっても、それらのアドレス情報に対して特典アドレス情報に該当すると判定できる。
【００５１】
また、判定部１２は、例えば、特典情報記憶部Ｄ１において、特典が付与されるユーザが抽選により決定される旨が設定されている場合には、特典アドレス情報に該当するアドレス情報を送信したユーザ端末３のユーザに特典を付与するか否かを決定するために、予め設定された所定の当選確率に基づき当選又は落選の抽選処理を行う。
【００５２】
例えば、要求取得部１１により取得されたアドレス情報が「http://www.02.jp/」である場合には、このアドレス情報はイベントＩＤ「Ｅ０２」の特典アドレス情報に該当し、抽選により特典が付与される旨が設定されているので、判定部１２は、所定の当選確率に基づく抽選処理を行い、当該アドレス情報を送信したユーザ端末３のユーザに特典を付与するか否かを決定する。判定部１２は、特典が付与されたユーザが１０名に達するまで、イベントＩＤ「Ｅ０２」のイベントを有効に制御する。ユーザに特典が付与されることが決定される度に、判定部１２は、特典情報記憶部Ｄ１において当該イベントＩＤに対応付けられた特典付与数の値に１を加えて更新する。また、判定部１２は、特典付与数が当選数に達したときに、当該レコードにおける有効イベントフラグを１から０に遷移させる。なお、抽選処理における所定の当選確率は、一定の値が設定されていることとしてもよいし、特典情報記憶部Ｄ１におけるイベント毎に設定されていることとしてもよい。
【００５３】
このような抽選処理により、ユーザに対する特典の付与が決定されるので、ウェブサイトに対するアクセスにおける趣向向上が図られる。従って、ユーザによるウェブサイトに対するアクセスがより促される。また、所定の当選確率に基づき抽選処理が行われるので、特典の付与に係る原資を適切に制御できる。
【００５４】
また、判定部１２は、例えば、特典情報記憶部Ｄ１において、特典に関する情報として、複数の順位及び該順位毎の特典の内容が設定されている場合には、予め順位毎に設定された所定の当選確率に基づき、複数の順位のうちのいずれかの順位に対する当選又は落選の抽選処理を行うことできる。例えば、要求取得部１１により取得されたアドレス情報が「http://www.10.jp/」である場合には、このアドレス情報はイベントＩＤ「Ｅ０３」の特典アドレス情報に該当し、「特典」の情報として、１〜３位の順位毎に付与されるポイントが設定されているので、判定部１２は、各順位に対して予め設定された当選確率に基づく抽選処理を行い、当該アドレス情報を送信したユーザ端末３のユーザに、いずれかの順位に設定されたポイントを付与するか、若しくは当該ユーザを落選とするかを決定する。このような抽選処理が行われることにより、より趣向性が向上される。従って、ユーザによるウェブサイトに対するアクセスが一層促される。
【００５５】
また、例えば、特典情報記憶部Ｄ１において、互いに関連付けられた複数の特典アドレス情報からなる特典アドレス情報群が設定され、該特典アドレス情報群に含まれる複数の特典アドレス情報に対して参照順位が設定されると共に、特典アドレス情報毎に特典が付与されるユーザの数である当選数が設定されている場合には、判定部１２は、特典アドレス情報群に含まれる複数の特典アドレス情報のうちの、特典が付与されたユーザの数が当選数に達していない特典アドレス情報の中で最上位の参照順位が設定された特典アドレス情報を、有効な特典アドレス情報として参照して抽選処理を実施する。
【００５６】
例えば、図５（ａ）に示す特典情報記憶部Ｄ１では、イベントＩＤ「Ｅ０１」を共有する３つのレコードに設定された３つの特典アドレス情報からなる特典アドレス情報群が設定されており、さらに、各々の順列設定のフィールドにおいて、「Ｅ０１−１」、「Ｅ０１−２」、「Ｅ０１−３」といった参照順位が設定されている。この場合には、まず、イベントＩＤ「Ｅ０１」の開始時において、判定部１２は、最上位の参照順位「Ｅ０１−１」のレコードにおける有効イベントフラグを１にセットすると共に、参照順位「Ｅ０１−１」のレコードに設定された特典アドレス情報「http://www.01.jp/」を参照して判定処理を行う。そして、この特典アドレス情報に対するアクセス及び抽選により特典を付与されたユーザの数（特典付与数）が「当選数」のフィールドにおいて設定された「５０名」に達した場合には、判定部１２は、参照順位「Ｅ０１−１」のレコードにおける有効イベントフラグを１から０に遷移させると共に、参照順位「Ｅ０１−２」のレコードにおける有効イベントフラグを０から１に遷移させて、参照順位「Ｅ０１−２」のレコードに設定された特典アドレス情報「http://www.01.jp/」を有効な特典アドレス情報として参照して抽選処理を実施する。図５（ａ）に示す例では、参照順位「Ｅ０１−２」のレコードに有効イベントフラグ「１」が設定されているので、現時点において、判定部１２は、特典アドレス情報「http://www.01.jp/」を参照している。
【００５７】
このような抽選処理が行われることにより、判定部１２による抽選処理の実施に伴い、有効な特典アドレス情報が遷移される。従って、例えば、一の特典アドレス情報に関する情報が一のユーザから他のユーザにリークされ、当該他のユーザが一の特典アドレス情報を用いたアクセス要求を行った場合であっても、その時点において一の特典アドレス情報が有効であるとは限らないので、当該他のユーザに対する特典関連情報の送信が防止される。
【００５８】
また、判定部１２は、ユーザの属性情報を記憶しているユーザ属性記憶部Ｄ２を参照して、ユーザ端末３のユーザが所定の属性を有することを抽選処理の条件として用いることができる。具体的には、判定部１２は、例えば、ユーザが所定の会員種別、所定の購入履歴等を属性情報として有していることを当該ユーザに対して特典を付与する条件として抽選処理を実施できる。図６は、ユーザ属性記憶部Ｄ２の構成及び記憶されているデータの例を示す図である。図６に示すように、ユーザ属性記憶部Ｄ２は、ユーザＩＤごとに、会員種別、獲得ポイント、購入履歴といった情報を記憶している。
【００５９】
具体的には、例えば、要求取得部１１により、ユーザ「Ｕ１」からのアドレス情報「http://www.44.jp/」が取得された場合には、このアドレス情報はイベントＩＤ「Ｅ０４」の特典アドレス情報に該当し、「ユーザ限定ルール」として「Ｓ３−ｒ１」が設定されているので、判定部１２は、図５（ｂ）に示すテーブルから、「Ｓ３−ｒ１」に対応付けられたルール内容「プラチナ会員対象」を参照する。そして、判定部１２は、図６に示すユーザ属性記憶部Ｄ２を参照して、ユーザ「Ｕ１」の会員種別が「プラチナ」であることを取得できるので、ユーザ「Ｕ１」を特典の付与の対象として判定できる。
【００６０】
このような抽選処理が行われることにより、ユーザにおける所定の属性を獲得することに対する動機が高められると共に、所定の属性を有するユーザにあっては、ウェブサイトに対するアクセスの動機が高められる。
【００６１】
特典関連情報生成部１３は、判定部１２によりアドレス情報が特典アドレス情報に該当すると判定された場合に、アドレス情報が示すウェブサイトが特典の付与に関連するウェブサイトであることを示す特典関連情報を生成する部分である。具体的には、特典関連情報生成部１３は、ユーザに特典が付与されること及び特典の内容を示す情報を特典関連情報として生成できる。また、特典関連情報生成部１３は、判定部１２において抽選処理が実施された場合に、抽選処理の結果、抽選処理の結果としてユーザに特典が付与されること及び特典の内容を示す情報を特典関連情報として生成する。なお、特典関連情報の具体的内容、及びユーザ端末３における具体的な表示態様については後述する。
【００６２】
送信部１４は、特典関連情報生成部１３により生成された特典関連情報をユーザ端末３に送信する部分である。また、送信部１４は、ユーザ端末３においてウェブページを表示するためのソース情報を改変することなく、特典関連情報をウェブページに重畳して表示させるような指示情報と共に特典関連情報を送信することができる。また、送信部１４は、ユーザ端末においてウェブページを表示するためのソース情報を改変することなく、特典関連情報をウェブページの表示領域外に表示させるような指示情報と共に特典関連情報を送信することができる。これにより、ユーザ端末３において特典関連情報が表示されるので、ユーザ端末３のユーザに特典関連情報が認識される。また、ウェブページのソース情報に特典関連情報が含まれないので、ウェブページの内容を収集するクローラにより特典関連情報が収集されること、及び特典の付与に関連するウェブサイトの場所がクローラに収集されることが防止される。なお、これらの指示情報に基づく特典関連情報の表示態様については、後のユーザ端末３の説明において示す。
【００６３】
続いて、再び図４を参照して、ユーザ端末３の各機能部を説明する。アクセス要求部３１は、ウェブサイトにアクセスするために、ウェブサーバＷに対してアクセス要求を送信する部分である。アクセス要求は、インターネット上におけるウェブサイトの場所を示す、例えばＵＲＬといったアドレス情報を含む。ユーザ端末３により実行されるブラウザ及び所定のアプリケーション等において、ＵＲＬの入力が行われたり、ＵＲＬに対するリンクが設定されたオブジェクトやテキストが選択操作されたりした場合に、アクセス要求部３１は、アドレス情報を含むアクセス要求をウェブサーバＷに送信する。
【００６４】
ウェブページ情報受信部３２は、アクセス要求の送信に応じてウェブサーバＷから返信されたウェブページ情報を受信する部分である。ウェブページ情報は、ユーザ端末３により実行されるブラウザ及び所定のアプリケーション等においてウェブページを表示するための情報である。
【００６５】
表示部３３は、ウェブページ情報受信部３２により受信されたウェブページ情報に基づき、ウェブページを表示する部分である。
【００６６】
アドレス情報送信部３４は、ウェブサイトにアクセスするためのアクセス要求に含まれるアドレス情報を特典付与装置１に送信する部分である。アドレス情報送信部３４は、アクセス要求部３１により送信されるアクセス要求からアドレス情報を抽出して、抽出したアドレス情報を特典付与装置１に送信できる。
【００６７】
特典関連情報受信部３５は、アドレス情報送信部３４により送信されたアドレス情報に応じて特典付与装置１の送信部１４から返信された情報であって、アドレス情報により示されるウェブサイトが、ユーザに付与される特典に関連するウェブサイトであることを示す特典関連情報を受信する部分である。
【００６８】
特典関連情報受信部３５により特典関連情報が受信された場合には、表示部３３は、特典関連情報を表示する。続いて、図７〜１０を参照して、表示部３３により表示されるウェブページ及び特典関連情報の例を説明する。
【００６９】
図７は、ウェブページ情報受信部３２により受信されたウェブページ情報に基づき、表示部３３により表示されたウェブページの表示例を示す図である。図７に示すように、ブラウザＢは、ツールバー表示領域Ｔ及びウェブページ表示領域Ｒを含み、ウェブページがウェブページ表示領域Ｒに表示される。
【００７０】
図８は、特典関連情報の表示例を示す図である。ユーザ端末３においてウェブページを表示するためのソース情報を改変することなく特典関連情報をウェブページの表示領域外のツールバー表示領域Ｔに表示させるような指示情報と共に特典関連情報が特典関連情報受信部３５により受信された場合には、表示部３３は、図８に示すように、指示情報に基づき、特典関連情報をツールバー表示領域Ｔに表示する。即ち、図８に示す表示例では、アクセス要求に応じてウェブサーバＷから返信されたウェブページがウェブページ表示領域Ｒに表示されると共に、「Ｙｏｕ  ｇｏｔ  １００ｐｔ！！！」といったユーザに対する特典の内容を示す特典関連情報Ｐ１がツールバー表示領域Ｔに表示される。
【００７１】
図９は、特典関連情報の表示例を示す図である。ユーザ端末３においてウェブページを表示するためのソース情報を改変することなく特典関連情報をウェブページに重畳して表示させるような指示情報と共に特典関連情報が特典関連情報受信部３５により受信された場合には、表示部３３は、図９に示すように、指示情報に基づき、特典関連情報をウェブページ表示領域Ｒに表示されたウェブページに重畳して表示する。即ち、図９に示す表示例では、アクセス要求に応じてウェブサーバＷから返信されたウェブページがウェブページ表示領域Ｒに表示されると共に、「Ｙｏｕ  ｇｏｔ  １００ｐｔ！！！」といったユーザに対する特典の内容を示す特典関連情報Ｐ２がウェブページに重畳して表示される。特典関連情報Ｐ２の表示は、ウェブページの表示とは独立して制御されるので、ウェブページの表示に影響を与えることなくユーザの操作により消去できる。
【００７２】
図１０は、特典関連情報の表示例を示す図である。ユーザ端末３においてウェブページを表示するためのソース情報を改変することなく、ウェブページが表示される領域をブラウザの表示領域内において下方に移動させ、その移動により生じた残余領域に特典関連情報を、表示させるような指示情報と共に特典関連情報が特典関連情報受信部３５により受信された場合には、表示部３３は、図１０に示すように、指示情報に基づき、特典関連情報を表示する。即ち、図１０に示す表示例では、アクセス要求に応じてウェブサーバＷから返信されたウェブページが、ブラウザの表示領域内において上方に残余領域を残したウェブページ表示領域Ｒに表示されると共に、「Ｙｏｕ  ｇｏｔ  １００ｐｔ！！！」といったユーザに対する特典の内容を示す特典関連情報Ｐ３がブラウザの表示領域内に生じた残余領域に表示される。
【００７３】
なお、例えば、アクセス要求部３１、ウェブページ情報受信部３２及び表示部３３は、ユーザ端末３において実行されるブラウザの機能として実現し、アドレス情報送信部３４及び特典関連情報受信部３５は、いわゆるツールバーの機能として実現させることができる。また、アドレス情報送信部３４及び特典関連情報受信部３５は、ブラウザにおける、例えば、いわゆるアドイン機能として実現されることとしてもよい。さらに、各機能部３１〜３５は、ユーザ端末３において実行されるアプリケーションの機能として実現されることとしてもよい。
【００７４】
続いて、図１１を参照して、本実施形態の特典付与装置１の動作について説明する。図１１は、特典付与装置１、ユーザ端末３及びウェブサーバＷにおいて実施される特典付与の処理を示すタイミングチャートである。
【００７５】
まず、ユーザ端末３により実行されるブラウザ及び所定のアプリケーション等において、ＵＲＬの入力が行われたり、ＵＲＬに対するリンクが設定されたオブジェクトやテキストが選択操作されたりすると、アクセス要求部３１は、ウェブサーバＷに対してＵＲＬを含むアクセス要求を送信する（Ｓ１）。また、アドレス情報送信部３４は、アクセス要求に含まれるＵＲＬ（アドレス情報）を特典付与装置１に送信する（Ｓ１）。
【００７６】
特典付与装置１の要求取得部１１によりＵＲＬが取得されると、判定部１２は、要求取得部１１により取得されたＵＲＬが、特典情報記憶部Ｄ１に記憶された特典アドレス情報に該当するか否かを判定する（Ｓ２）。このとき、要求取得部１１は、例えばショッピングサイトに例示されるような特典の付与に関わるサイトに対する、ユーザ端末３のログイン状態に関する情報もユーザ端末３から併せて取得する。ユーザ端末３からのＵＲＬが特典アドレス情報に該当する場合には処理手順はステップＳ３に進められる。一方、ユーザ端末３からのＵＲＬが特典アドレス情報に該当しない場合には処理手順は終了する。
【００７７】
続いて、ステップＳ３において、判定部１２は、ユーザ端末３のログイン状態に関する情報に基づき、ユーザ端末３がログイン済みであるか否かを判定する（Ｓ３）。ユーザ端末３がログイン済みでない場合には処理手順はステップＳ４に進められる。一方、ユーザ端末３がログイン済みである場合には処理手順はステップＳ８に進められる。
【００７８】
ステップＳ４において、送信部１４は、ユーザ端末３に対して、ログインを促す旨のメッセージを送信する（Ｓ４）。具体的には、送信部１４は、ユーザ端末から送信されたアドレス情報が特典アドレス情報に該当する旨を、ログインを促すメッセージとして送信する。即ち、ステップＳ４の時点において、ユーザ端末からのアドレス情報が特典アドレス情報に該当することが判定済であるので、送信部１４は、例えば、「ログインすれば特典がもらえるよ」といったメッセージをユーザ端末３に送信する。なお、当該特典アドレス情報に対応付けられた特典が抽選により付与されるものである場合には、送信部１４は、特典の付与のための抽選に参加できる旨をログインを促すメッセージとして送信する。
【００７９】
特典付与装置１から送信されたメッセージに応じて、ユーザ端末３の表示部３３は、ログインを促すメッセージを表示する（Ｓ５）。これにより、特典の付与を動機として、ユーザ端末３のユーザに対して、特典の付与に関わるシステムに対するログインが促される。
【００８０】
一方、ウェブサーバＷは、ユーザ端末３からのアクセス要求に応じて、ウェブページを表示するためのウェブページ情報を送信する（Ｓ６）。ユーザ端末３のウェブページ情報受信部３２によりウェブページ情報が受信されると、表示部３３は、ウェブページ情報に基づき、ウェブページを表示する（Ｓ７）。
【００８１】
ステップＳ８において、必要に応じた判定部１２における抽選処理を経て、特典関連情報生成部１３は、特典に内容に関する特典関連情報を生成する（Ｓ８）。そして、特典関連情報生成部１３により生成された特典関連情報をユーザ端末３に送信する（Ｓ９）。ユーザ端末３の特典関連情報受信部３５により特典関連情報が受信されると、表示部３３は、特典関連情報を表示する（Ｓ１０）。
【００８２】
次に、図１２を参照して、コンピュータを特典付与装置１として機能させるための特典付与プログラム及びユーザ端末３における特典関連情報表示プログラムを説明する。図１２（ａ）は、図２に示した第１実施形態に係る特典付与装置１に対応する特典付与プログラムを示す図である。
【００８３】
特典付与プログラム１Ｐは、メインモジュールＰ１０、要求取得モジュールＰ１１、判定モジュールＰ１２、特典関連情報生成モジュールＰ１３及び送信モジュールＰ１４を備える。
【００８４】
メインモジュールＰ１０は、特典付与装置１を統括的に制御する部分である。要求取得モジュールＰ１１、判定モジュールＰ１２、特典関連情報生成モジュールＰ１３及び送信モジュールＰ１４を実行することにより実現される機能はそれぞれ、図２に示される特典付与装置１の要求取得部１１、判定部１２、特典関連情報生成部１３及び送信部１４の機能と同様である。
【００８５】
特典付与プログラム１Ｐは、例えば、ＣＤ−ＲＯＭやＤＶＤ、ＲＯＭ等の記憶媒体１Ｄまたは半導体メモリによって提供される。また、特典付与プログラム１Ｐは、搬送波に重畳されたコンピュータデータ信号として通信ネットワークを介して提供されてもよい。
【００８６】
また、図１２（ｂ）は、図４に示した第１実施形態に係るユーザ端末３に対応する特典付与プログラム３Ｐを示す図である。特典付与プログラム３Ｐは、アクセス要求モジュールＰ３１、ウェブページ情報受信モジュールＰ３２、表示モジュールＰ３３、アドレス情報送信Ｐ３４モジュール及び特典関連情報受信モジュールＰ３５を備える。アクセス要求モジュールＰ３１、ウェブページ情報受信モジュールＰ３２、表示モジュールＰ３３、アドレス情報送信Ｐ３４モジュール及び特典関連情報受信モジュールＰ３５を実行することにより実現される機能はそれぞれ、図４に示されるアクセス要求部３１、ウェブページ情報受信部３２、表示部３３、アドレス情報送信部３４及び特典関連情報受信部３５の機能と同様である。即ち、ユーザ端末３のアクセス要求部３１、ウェブページ情報受信部３２、表示部３３、アドレス情報送信部３４及び特典関連情報受信部３５は、アクセス要求モジュールＰ３１、ウェブページ情報受信モジュールＰ３２、表示モジュールＰ３３、アドレス情報送信Ｐ３４モジュール及び特典関連情報受信モジュールＰ３５からなる特典関連情報表示プログラム３Ｐが、ユーザ端末３を構成するコンピュータに実行されることにより実現される。
【００８７】
特典関連情報表示プログラム３Ｐは、例えば、ＣＤ−ＲＯＭやＤＶＤ、ＲＯＭ等の記憶媒体１Ｄまたは半導体メモリによって提供される。また、特典関連情報表示プログラム３Ｐは、搬送波に重畳されたコンピュータデータ信号として通信ネットワークを介して提供されてもよい。なお、特典関連情報表示プログラム３Ｐにおいて、アクセス要求モジュールＰ３１、ウェブページ情報受信モジュールＰ３２、表示モジュールＰ３３は、必須の構成ではない。
【００８８】
以上説明した第１実施形態の特典付与装置１、特典付与方法、特典付与プログラム１Ｐ、ユーザ端末３及び特典関連情報表示プログラムによれば、ユーザ端末３からのアドレス情報が特典アドレス情報に該当する場合に、当該アドレス情報が示すウェブサイトが特典の付与に関連するウェブサイトであることを示す特典関連情報がユーザ端末に送信され、ユーザ端末において特典関連情報が表示される。これにより、ユーザ端末３のユーザは、アクセス要求に係るアドレス情報が特典の付与に関連するものであることを認識できるので、特典の付与を動機として、ユーザによるウェブサイトに対するアクセスが促される。従って、特定のウェブサイトに対する閲覧機会が増加される。
【００８９】
（第２実施形態）
次に、本発明に係る特典付与装置の第２実施形態について図１３〜２４を参照して説明する。なお、図１３〜２４において、第１実施形態と同一又は同等の構成要素については同一符号を付し、重複する説明を省略する。
【００９０】
第２実施形態では、ユーザが特典アドレス情報に示されるウェブサイトにアクセスできる可能性を高めるために、ヒント情報がユーザ端末３Ａに提供される。
【００９１】
図１３は、第２実施形態に係る特典付与装置１Ａの機能的構成を示すブロック図である。図１３に示すように、特典付与装置１Ａは、図２を参照して説明した機能部１１〜１４に加えて、一致度判断部１５（一致度判断手段）、ヒント情報生成部１６（第１ヒント情報生成手段、第２ヒント情報生成手段、第３ヒント情報生成手段、第４ヒント情報生成手段）、リンク情報受信部１７（リンク情報受信手段）、リンク情報判定部１８（リンク情報判定手段）、キーワード取得部１９、ブックマーク判定部２０（特定情報判定手段）、を備える。また、特典付与装置１Ａは、キーワード記憶部Ｄ３（キーワード記憶手段）及びブックマーク記憶部Ｄ４（特定情報記憶手段）にアクセスできる。これらの記憶部Ｄ３，Ｄ４は、例えばデータベースＤに構成される。
【００９２】
また、図１４は、第２実施形態に係るユーザ端末３Ａの機能的構成を示すブロック図である。ユーザ端末３Ａは、図４を参照して説明した各機能部３１〜３５に加えて、リンクＵＲＬ送信部３６を備える。なお、特典付与装置１Ａ及びユーザ端末３Ａにおける各機能部は、各機能を実現させるためのプログラムモジュールが、特典付与装置１Ａ及びユーザ端末３Ａを構成するコンピュータに実行されることにより実現される。そして、それらのプログラムモジュールからなるプログラムは、ＣＤ−ＲＯＭやＤＶＤ、ＲＯＭ等の記憶媒体又は半導体メモリに記憶させて提供することができる。また、そのプログラムは、搬送波に重畳されたコンピュータデータ信号として通信ネットワークを介して提供されてもよい。
【００９３】
図１３及び図１４を併せて参照しながら、第２実施形態におけるヒント情報の生成に係る処理を説明する。まず、アクセス要求に含まれるアドレス情報と、特典アドレス情報との類似度合いに基づくヒント情報の提供について説明する。
【００９４】
一致度判断部１５は、要求取得部１１により取得されたアドレス情報の、特典情報記憶部Ｄ１に記憶されている特典アドレス情報に対する一致の度合いを判断する部分である。具体的には、例えば、一致度判断部１５は、取得したアドレス情報を構成する文字列と、特典アドレス情報を構成する文字列との一致率を算出する。また、一致度判断部１５は、特典アドレス情報に類似する類似アドレス情報を予め記憶しておき、取得したアドレス情報が類似アドレス情報に一致する場合に、取得したアドレス情報が特典アドレス情報に類似する旨の判定をすることができる。
【００９５】
ヒント情報生成部１６は、一致度判断部１５により判断された一致の度合いを示すヒント情報（第１ヒント情報）を生成する。具体的には、ヒント情報生成部１６は、例えば、一致度判断部１５により算出された一致率が所定値以上である場合に、要求取得部１１により取得されたアドレス情報が特典アドレス情報に類似することに基づき、例えば、「近くに特典ページがあるかも！！」といったメッセージからなるヒント情報を生成する。また、ヒント情報生成部１６は、要求取得部１１により取得されたアドレス情報と特典アドレス情報との一致の度合いを示す情報をヒント情報に含めることができる。そして、送信部１４は、ヒント情報生成部１６により生成されたヒント情報をユーザ端末３Ａに送信する。
【００９６】
ユーザ端末３Ａの特典関連情報受信部３５は、特典付与装置１Ａから送信されたヒント情報を特典関連情報として受信する。そして、表示部３３は、特典関連情報受信部３５により受信されたヒント情報を表示する。図１５は、ヒント情報の表示例を示す図である。図１５に示すように、表示部３３は、「近くに特典ページがあるかも！！」といったメッセージからなるヒント情報Ｈ１を、例えばツールバー表示領域Ｔに表示する。このとき、表示部３３は、要求取得部１１により取得されたアドレス情報と特典アドレス情報との一致の度合いに応じた時間間隔により、ヒント情報Ｈ１の表示を点滅表示するように制御することとしてもよい。
【００９７】
図１６は、ヒント情報Ｈ１をユーザ端末３Ａに提供するための処理の例を示すタイミングチャートである。ユーザ端末３Ａのアドレス情報送信部３４は、アクセス要求に含まれるアドレス情報を特典付与装置１Ａに送信する（Ｓ２１）。続いて、一致度判断部１５は、要求取得部１１により取得されたアドレス情報の、特典アドレス情報に対する一致の度合いを判定する（Ｓ２２）。
【００９８】
ステップＳ２３において、要求取得部１１により取得されたアドレス情報との一致の度合いが所定値以上の特典アドレス情報が特典情報記憶部Ｄ１に記憶されている場合には、処理手順はステップＳ２４に進められる。一方、要求取得部１１により取得されたアドレス情報との一致の度合いが所定値以上の特典アドレス情報が特典情報記憶部Ｄ１に記憶されていない場合には、処理手順は終了する。
【００９９】
ステップＳ２４において、ヒント情報生成部１６は、要求取得部１１により取得されたアドレス情報が特典アドレス情報に類似する旨のヒント情報を生成する（Ｓ２４）。続くステップＳ２５において、送信部１４は、ヒント情報生成部１６により生成されたヒント情報をユーザ端末３Ａに送信する（Ｓ２５）。そして、ユーザ端末３Ａの特典関連情報受信部３５によりヒント情報が受信されると、表示部３３は、ヒント情報を表示する（Ｓ２６）。
【０１００】
以上のようにヒント情報がユーザ端末３Ａに提供されることにより、アクセス要求に係るアドレス情報の特典アドレス情報との一致の度合いがユーザに認識されることとなるので、特典の付与を動機として、ユーザによるウェブサイトに対するアクセスが促される。
【０１０１】
再び図１３，１４を参照して、ユーザ端末３Ａに表示されたウェブページ中のリンクに基づくヒント情報の提供について説明する。
【０１０２】
リンクＵＲＬ送信部３６は、ユーザ端末３Ａにおいて表示されたウェブページに含まれる１以上のリンクに設定されたアドレス情報（ＵＲＬ）を抽出して、特典付与装置１Ａに送信する。具体的には、リンクＵＲＬ送信部３６は、ウェブページ情報受信部３２により受信されたＨＴＭＬ等のウェブページ情報をサーチすることにより、ＵＲＬを抽出できる。これにより、リンクＵＲＬ送信部３６は、任意の検索サイトにおいて実施した検索結果に含まれるリンクに設定されたＵＲＬを抽出できる。続いて、特典付与装置１Ａのリンク情報受信部１７は、リンクＵＲＬ送信部３６からのアドレス情報を受信する。
【０１０３】
リンク情報判定部１８は、リンク情報受信部１７により受信されたアドレス情報が特典情報記憶部Ｄ１に記憶されている特典アドレス情報に該当するか否かを判定する。そして、ヒント情報生成部１６は、リンク情報判定部１８により、リンクに設定されたアドレス情報が特典アドレス情報に該当すると判定された場合に、ユーザ端末３Ａにおいて表示されたウェブページに特典アドレス情報に対するリンクが含まれる旨のヒント情報（第２ヒント情報）を生成する。送信部１４は、ヒント情報生成部１６により生成されたヒント情報をユーザ端末３Ａに送信する。
【０１０４】
ユーザ端末３Ａの特典関連情報受信部３５は、特典付与装置１Ａから送信されたヒント情報を特典関連情報として受信する。そして、表示部３３は、特典関連情報受信部３５により受信されたヒント情報を表示する。図１７は、ヒント情報の表示例を示す図である。図１７に示すように、表示部３３は、「このページのリンク先に特典ページがあるよ！！」といったメッセージからなるヒント情報Ｈ２を、例えばウェブページに重畳して表示する。
【０１０５】
図１８は、ヒント情報Ｈ２をユーザ端末３Ａに提供するための処理の例を示すタイミングチャートである。ユーザ端末３ＡのリンクＵＲＬ送信部３６は、ユーザ端末３Ａにおいて表示されたウェブページに含まれるリンクに設定されたＵＲＬを抽出する（Ｓ３１）。続いて、リンクＵＲＬ送信部３６は、抽出したＵＲＬをリンク先ＵＲＬとして特典付与装置１Ａに送信する（Ｓ３２）。
【０１０６】
特典付与装置１Ａのリンク情報受信部１７によりリンク先ＵＲＬが受信されると、リンク情報判定部１８は、リンク情報受信部１７により受信されたリンク先ＵＲＬが特典情報記憶部Ｄ１に記憶されている特典アドレス情報に該当するか否かを判定する（Ｓ３３）。リンク先ＵＲＬが特典アドレス情報に該当する場合には、処理手順はステップＳ３４に進められる。一方、リンク先ＵＲＬが特典アドレス情報に該当しない場合には、処理手順は終了する。
【０１０７】
ステップＳ３４において、ヒント情報生成部１６は、ユーザ端末３Ａにおいて表示されたウェブページに特典アドレス情報に対するリンクが含まれる旨のヒント情報を生成する（Ｓ３４）。続くステップＳ３５において、送信部１４は、ヒント情報生成部１６により生成されたヒント情報をユーザ端末３Ａに送信する（Ｓ３５）。そして、ユーザ端末３Ａの特典関連情報受信部３５によりヒント情報が受信されると、表示部３３は、ヒント情報を表示する（Ｓ３６）。
【０１０８】
以上のようにヒント情報がユーザ端末３Ａに提供されることにより、ユーザは、ユーザ端末３Ａにおいて表示されたウェブページに含まれるリンクに係るアドレス情報が特典の付与に関連するものであることを認識できるので、特典の付与を動機として、リンク先のウェブサイトに対するアクセスが促される。
【０１０９】
次に、再び図１３，１４を参照して、特典アドレス情報に示されるウェブサイト中のキーワードに基づくヒント情報の提供について説明する。
【０１１０】
キーワード記憶部Ｄ３は、特典アドレス情報に示されるウェブサイト中のキーワードを予め記憶しているデータベースである。図１９は、キーワード記憶部Ｄ３の構成及び記憶しているデータの例を示す図である。図１９に示すように、キーワード記憶部Ｄ３は、特典アドレス情報ごとに、当該特典アドレス情報に示されるウェブサイト中のキーワードを記憶している。
【０１１１】
キーワード取得部１９は、キーワード記憶部Ｄ３からキーワードを抽出する部分である。キーワード取得部１９は、例えば、予め設定された所定のルールに従って、１又は複数のキーワードを抽出する。キーワード取得部１９は、例えば、特典アドレス情報毎に一のキーワードを抽出することとしてもよいし、ランダムに抽出することとしてもよい。また、キーワード取得部１９は、キーワード記憶部Ｄ３に記憶された特典アドレス情報に対して予め設定された優先順位に従って特典アドレス情報を選択し、選択した特典アドレス情報に対応付けられたキーワードを抽出してもよいし、ランダムに特定された特典アドレス情報に対応付けられたキーワードを抽出してもよい。
【０１１２】
ヒント情報生成部１６は、キーワード取得部１９により抽出されたキーワードを含むヒント情報（第３ヒント情報）を生成する。このヒント情報は、例えば、抽出したキーワードによる検索を促すメッセージであることができる。そして、送信部１４は、ヒント情報生成部１６により生成されたヒント情報をユーザ端末３Ａに送信する。
【０１１３】
ユーザ端末３Ａの特典関連情報受信部３５は、特典付与装置１Ａから送信されたヒント情報を特典関連情報として受信する。そして、表示部３３は、特典関連情報受信部３５により受信されたヒント情報を表示する。図２０は、ヒント情報の表示例を示す図である。図２０に示すように、表示部３３は、「「Ｗ１１」で検索すると特典ページに行けるよ！！」といったメッセージからなるヒント情報Ｈ３を、例えばウェブページに重畳して表示する。
【０１１４】
図２１は、ヒント情報Ｈ３をユーザ端末３Ａに提供するための処理の例を示すタイミングチャートである。なお、図２１に示す処理は、例えば、ユーザ端末３Ａが所定のウェブサイトにアクセスしたことを契機として当該ユーザ端末３Ａにヒント情報を提供するために実施されてもよいし、特典関連情報表示プログラム３Ｐが実行されているユーザ端末３Ａに対して所定の時間間隔又はランダムなタイミングでヒント情報を提供するために実施されることとしてもよい。まず、キーワード取得部１９は、キーワード記憶部Ｄ３からキーワードを抽出する（Ｓ４１）。続いて、ヒント情報生成部１６は、キーワード取得部１９により抽出されたキーワードを含むヒント情報を生成する（Ｓ４２）。
【０１１５】
続くステップＳ４３において、送信部１４は、ヒント情報生成部１６により生成されたヒント情報をユーザ端末３Ａに送信する（Ｓ４３）。そして、ユーザ端末３Ａの特典関連情報受信部３５によりヒント情報が受信されると、表示部３３は、ヒント情報を表示する（Ｓ４４）。
【０１１６】
以上のようにヒント情報がユーザ端末３Ａに提供されることにより、特典アドレス情報に示されるウェブサイトに含まれるキーワードがユーザに認識される。この認識は、そのキーワードによるウェブサイトの検索の動機となる。従って、検索の結果として得られたウェブサイトに対するユーザによる閲覧の機会が増加される。
【０１１７】
なお、ユーザ端末３Ａが、ユーザ端末３Ａにおいて閲覧されているウェブサイトの中から形態素解析により抽出された単語を特典付与装置１Ａに送信し、特典付与装置１Ａが、ユーザ端末３Ａから送信された単語がキーワード記憶部Ｄ３に記憶されているキーワードと一致する場合にそのキーワードを含むヒント情報を生成し、そのヒント情報がユーザ端末３Ａに提供されるといった構成を、システム１００が有することとしても良い。
【０１１８】
次に、再び図１３，１４を参照して、例えばショッピングサイトに例示されるような特典の付与に関わるサイトにおいて、ユーザにより登録されたブックマークやお気に入りの商品等の情報に基づくヒント情報の提供について説明する。ブックマークやお気に入りの商品等の情報は、ウェブサイトを特定可能な特定情報を構成できる。例えばショッピングサイトがウェブサーバＷに構成される場合において、ユーザ端末３Ａのユーザは、そのショッピングサイトにログインし、気に入った商品等をブックマークとして登録することができる。ここでは、このように登録されたブックマークをヒント情報の提供に利用する。
【０１１９】
ブックマーク記憶部Ｄ４は、ユーザにより登録されたブックマークを記憶しているデータベースである。図２２は、ブックマーク記憶部Ｄ４の構成及び記憶しているデータの例を示す図である。図２２に示すように、ブックマーク記憶部Ｄ４は、ユーザＩＤごとに、当該ユーザにより登録されたブックマークを記憶している。
【０１２０】
ブックマーク判定部２０は、特典情報記憶部Ｄ１に記憶された特典アドレス情報により示されるウェブサイトを特定するブックマークがブックマーク記憶部Ｄ４に記憶されているか否かを判定する。ブックマークは、ウェブサーバＷに構成されたショッピングサイト等において登録されたデータであるので、本実施形態のブックマーク記憶部Ｄ４は、特典付与装置１Ａから直接にアクセス可能なデータベースＤに構成されているとは限られず、ウェブサーバＷに対応付けられたデータベースに構成される場合がある。かかる場合には、ブックマーク判定部２０は、ネットワークＮを介してウェブサーバＷと連携して、ユーザにより登録されたブックマークを取得する。なお、ブックマーク記憶部Ｄ４がデータベースＤに構成され、予めウェブサーバＷからのブックマークがブックマーク記憶部Ｄ４に記憶されていることとしてもよい。
【０１２１】
ヒント情報生成部１６は、ブックマーク判定部２０により、特典アドレス情報により示されるウェブサイトを特定する特定情報がブックマーク記憶部Ｄ４に記憶されていると判定された場合に、ユーザが指定したブックマークに、特典アドレス情報により示されるウェブサイトを特定するブックマークが含まれる旨のヒント情報（第４ヒント情報）を生成する。そして、送信部１４は、ヒント情報生成部１６により生成されたヒント情報をユーザ端末３Ａに送信する。
【０１２２】
ユーザ端末３Ａの特典関連情報受信部３５は、特典付与装置１Ａから送信されたヒント情報を特典関連情報として受信する。そして、表示部３３は、特典関連情報受信部３５により受信されたヒント情報を表示する。図２３は、ヒント情報の表示例を示す図である。図２３に示すように、表示部３３は、「あなたのブックマークに特典ページがあるよ！！」といったメッセージからなるヒント情報Ｈ４を、例えばウェブページに重畳して表示する。
【０１２３】
図２４は、ヒント情報Ｈ４をユーザ端末３Ａに提供するための処理の例を示すタイミングチャートである。なお、図２４に示す処理は、例えば、ユーザ端末３ＡのユーザがウェブサーバＷに構成された所定のショッピングサイトにログインした時及びログイン中の任意のタイミング等に実施される。まず、ブックマーク判定部２０は、一のユーザのブックマークが示すウェブサイトが、特典情報記憶部Ｄ１に記憶された特典アドレス情報により示されるウェブサイトに該当するか否かを判定する（Ｓ５１）。この判定において該当すると判定された場合には、処理手順はステップＳ５３に進められる。一方、この判定において該当すると判定されなかった場合には、処理手順は終了する（Ｓ５２）。
【０１２４】
ステップＳ５３において、ヒント情報生成部１６は、ユーザが指定したブックマークに、特典アドレス情報により示されるウェブサイトを特定するブックマークが含まれる旨のヒント情報を生成する（Ｓ５３）。続くステップＳ５４において、送信部１４は、ヒント情報生成部１６により生成されたヒント情報をユーザ端末３Ａに送信する（Ｓ５４）。そして、ユーザ端末３Ａの特典関連情報受信部３５によりヒント情報が受信されると、表示部３３は、ヒント情報を表示する（Ｓ５５）。
【０１２５】
以上のようにヒント情報がユーザ端末３Ａに提供されることにより、ユーザが指定したブックマークに、特典アドレス情報に示されるウェブサイトを特定するものが含まれることがユーザに認識される。これにより、ユーザに対して、ブックマークに示されるウェブサイトに対するアクセスが促される。
【０１２６】
なお、ユーザ端末３Ａにおいて実行されるブラウザに登録されたブックマークをヒント情報の提供に利用することも可能である。この場合には、ユーザ端末３Ａがブラウザに登録されたブックマークを特典付与装置１Ａに送信することにより、ブックマーク判定部２０はブックマークを取得する。また、ブックマーク判定部２０がユーザ端末３Ａにアクセスしてブラウザにおいて登録されたブックマークを取得することとしてもよい。そして、ブックマーク判定部２０は、ユーザ端末３Ａのブラウザにおいて登録されたブックマークが、特典情報記憶部Ｄ１に記憶された特典アドレス情報により示されるウェブサイトを特定するものであるか否かを判定する。
【０１２７】
ヒント情報生成部１６は、ブックマーク判定部２０により、ユーザ端末３Ａのブラウザにおいて登録されたブックマークが特典アドレス情報により示されるウェブサイトを特定するブックマークに該当すると判定された場合に、ユーザが指定したブックマークに、特典アドレス情報により示されるウェブサイトを特定するブックマークが含まれる旨のヒント情報を生成する。そして、送信部１４は、ヒント情報生成部１６により生成されたヒント情報をユーザ端末３Ａに送信する。この場合にも、例えば図２３に示されるようなメッセージからなるヒント情報Ｈ４が、ユーザ端末３Ａの表示部３３により表示される。
【０１２８】
なお、特典付与装置１Ａにおいて、第１〜４のヒント情報を生成するための機能部の全てが備えられていることとしてもよいし、第１〜４のヒント情報のうちのいずれか１つ又は複数のヒント情報を生成するための機能部が備えられていることとしてもよい。
【０１２９】
以上、本発明をその実施形態に基づいて詳細に説明した。しかし、本発明は上記実施形態に限定されるものではない。本発明は、その要旨を逸脱しない範囲で様々な変形が可能である。
【符号の説明】
【０１３０】
１，１Ａ…特典付与装置、３，３Ａ…ユーザ端末、１１…要求取得部、１２…判定部、１３…特典関連情報生成部、１４…送信部、１５…一致度判断部、１６…ヒント情報生成部、１７…リンク情報受信部、１８…リンク情報判定部、１９…キーワード取得部、２０…ブックマーク判定部、３１…アクセス要求部、３２…ウェブページ情報受信部、３３…表示部、３４…アドレス情報送信部、３５…特典関連情報受信部、３６…リンクＵＲＬ送信部、Ｄ…データベース、Ｄ１…特典情報記憶部、Ｄ２…ユーザ属性記憶部、Ｄ３…キーワード記憶部、Ｄ４…ブックマーク記憶部、Ｍ…店舗端末、１Ｄ…記憶媒体、１Ｐ…特典付与プログラム、Ｐ１０…メインモジュール、Ｐ１１…要求取得モジュール、Ｐ１２…判定モジュール、Ｐ１３…特典関連情報生成モジュール、Ｐ１４…送信モジュール、Ｒ…ウェブページ表示領域、Ｔ…ツールバー表示領域、Ｗ…ウェブサーバ。
【図１】
0005567067.tif 000002
【図２】
0005567067.tif 000003
【図３】
0005567067.tif 000004
【図４】
0005567067.tif 000005
【図５】
0005567067.tif 000006
【図６】
0005567067.tif 000007
【図７】
0005567067.tif 000008
【図８】
0005567067.tif 000009
【図１０】
0005567067.tif 000010
【図１１】
0005567067.tif 000011
【図１２】
0005567067.tif 000012
【図１３】
0005567067.tif 000013
【図１４】
0005567067.tif 000014
【図１５】
0005567067.tif 000015
【図１６】
0005567067.tif 000016
【図１８】
0005567067.tif 000017
【図１９】
0005567067.tif 000018
【図２１】
0005567067.tif 000019
【図２２】
0005567067.tif 000020
【図２４】
0005567067.tif 000021
【図９】
0005567067.tif 000022
【図１７】
0005567067.tif 000023
【図２０】
0005567067.tif 000024
【図２３】
0005567067.tif 000025